(57)【特許請求の範囲】
【請求項１】
内視鏡観察についてのデータを入力するためのデータ入力手段と、
内視鏡によって撮像された内視鏡観察像と上記データ入力手段から入力されたデータとをモニタ画面に同時に表示するための画像表示手段と、
上記データ入力手段から入力されたデータをラベルに印刷するために上記データをラベル印刷のためのプリンタに出力するためのインタフェイスと、
上記データを上記ラベルに印刷するフォームを予め設定されている複数種類のフォームの中から選択するための印刷フォーム選択手段とを設け、
上記モニタ画面に同時に表示されている上記内視鏡観察像と上記データのうち上記データのみを、予め設定されている複数種類のフォームの中から選択された印刷フォームで上記ラベルに印刷することができるようにしたことを特徴とする電子内視鏡装置。
【請求項２】
上記データ入力手段から入力されたデータを上記ラベルに印刷するまでの間格納しておくためのデータ格納手段が設けられている請求項１記載の電子内視鏡装置。
【発明の詳細な説明】
【０００１】
【発明の属する技術分野】
この発明は、内視鏡観察についてのデータを内視鏡観察像と共にモニタ画面に表示するようにした電子内視鏡装置に関する。
【０００２】
【従来の技術】
電子内視鏡装置においては一般に、図６に示されるように、内視鏡観察像５１はモニタ５０画面の一部に表示されるだけであり、モニタ画面５０の残りの部分を利用して、患者の氏名等のデータ５２が表示されるようになっている。
【０００３】
【発明が解決しようとする課題】
モニタ画面に表示されたデータ５２は、内視鏡観察像５１と共にディスクやフィルム等に保存することができる。しかし、そのディスクやフィルム等を識別するためには、患者の氏名等、モニタ画面５０に表示されたデータと同じデータをもう一度ラベルに記入して貼付する必要があり、作業が二度手間になって煩雑である。
【０００４】
そこで本発明は、内視鏡データを保存するためのディスクやフィルム等に貼るためのラベルを簡単に作成することができる電子内視鏡装置を提供することを目的とする。
【０００５】
【課題を解決するための手段】
上記の目的を達成するため、本発明の電子内視鏡装置は、内視鏡観察についてのデータを入力するためのデータ入力手段と、内視鏡によって撮像された内視鏡観察像と上記データ入力手段から入力されたデータとをモニタ画面に表示するための画像表示手段と、上記データ入力手段から入力されたデータをラベルに印刷するために上記データをラベル印刷のためのプリンタに出力するためのインタフェイスとを設けたことを特徴とする。
【０００６】
なお、上記データを上記ラベルに印刷するフォームを、複数種類のフォームの中から選択することができるようにしてもよい。また、上記データ入力手段から入力されたデータを上記ラベルに印刷するまでの間格納しておくためのデータ格納手段を設けてもよい。
【０００７】
【発明の実施の形態】
図面を参照して本発明の実施の形態を説明する。
図１は電子内視鏡装置の全体構成を略示しており、電子内視鏡１の挿入部先端には、内視鏡観察像を撮像するための例えばＣＣＤ（電荷結合素子）からなる固体撮像素子２が内蔵されている。
【０００８】
電子内視鏡１が接続されるビデオプロセッサ１０には、固体撮像素子２で撮像された内視鏡観察像を画像処理してテレビモニタ２０に映像信号を出力する画像処理部１１が設けられており、画像処理部１１から出力された映像信号による画像がテレビモニタ２０のモニタ画面５０に表示される。
【０００９】
ビデオプロセッサ１０内には、ビデオプロセッサ１０内各部の動作を制御するための制御部１２が設けられている。この制御部１２は、例えばＣＰＵ（中央演算装置）を内蔵するマイクロコンピュータであり、ＲＡＭ及びＲＯＭ等のメモリ１３が接続されている。
【００１０】
また、ビデオプロセッサ１０には、患者名など内視鏡検査に関するデータを入力するための入力部１４が設けられている。入力部１４は、それ自体がキーボード等であってもよく、或いは外部キーボード等から入力されるデータを電子内視鏡１に受け入れるためのインタフェイス等であってもよい。
【００１１】
そして、入力部１４から患者名など内視鏡検査に関するデータが入力されたときは、そのデータの信号が制御部１２から画像処理部１１とメモリ１３とに送られ、データが、内視鏡観察像と共にテレビモニタ２０に表示されるのと同時に、メモリ１３のＲＡＭ（ランダムアクセスメモリ）に格納される。
【００１２】
この入力部１４には、患者名など内視鏡検査に関するデータの他に、データをラベル印刷させるための印刷命令が入力され、印刷命令入力時には、印刷フォームを例えばａ，ｂ，ｃの３種類から選択することができるようになっている。
【００１３】
３０は、ビデオプロセッサ１０の外部に設けられたラベル印刷用プリンタであり、そのプリンタ３０に印字信号を出力するためのプリンタインタフェイス１５がビデオプロセッサ１０に設けられている。
【００１４】
そして、入力部１４から印字命令が入力されると、メモリ１３からデータが読み出されて命令信号と共にプリンタインタフェイス１５に送られ、プリンタ３０においてデータがラベルに印刷される。
【００１５】
図２は、制御部１２においてラベル印刷のために実行されるソフトウェアの内容を示すフロー図であり、Ｓは処理ステップを示す。
ここでは、まず通常の各種内視鏡処理を実行したら（Ｓ１）、入力部１４からデータが入力されたかどうかを判定する（Ｓ２）。
【００１６】
そして、データの入力があったときは、図６に示されるように、テレビモニタ２０のモニタ画面５０に内視鏡観察像５１と共にデータ５１を表示し（Ｓ３）、一方でそのデータをメモリ１３に格納して（Ｓ４）、Ｓ１から繰り返す。
【００１７】
Ｓ２においてデータ入力がないときは、入力部１４から印刷命令が入力されたかどうかを判定し、入力部１４に印刷命令の入力がないときはＳ１から繰り返す（Ｓ５）。
【００１８】
Ｓ５において印刷命令の入力があったときは、メモリ１３に格納されているデータを読み出してプリンタインタフェイス１５に出力すると共に（Ｓ６）、ａ，ｂ，ｃのうちのどの印刷フォームが選択されたかを判定する（Ｓ７）。
【００１９】
そして、フォームａが選択されているときは図３に例示されるフォームでラベル６０に印刷を行う信号を出力し（Ｓ８）、フォームｂが選択されているときは図４に例示されるフォームでラベル６０に印刷を行う信号を出力し（Ｓ９）、フォームｃが選択されているときは図５に例示されるフォームでラベル６０に印刷を行う信号を出力して（Ｓ１０）、Ｓ１から繰り返す。
【００２０】
【発明の効果】
本発明によれば、内視鏡観察についてのデータを入力するためのデータ入力手段から入力されたデータが、内視鏡観察像と共に表示手段に表示されるだけでなく、データ入力手段から入力されたデータをラベルに印刷することができるので、内視鏡データを保存するためのディスクやフィルム等に貼るためのラベルを、あらためてデータを入力することなく簡単に作成することができる。
【図面の簡単な説明】
【図１】本発明の実施の形態の全体構成を示す略示図である。
【図２】本発明の実施の形態の制御処理フロー図である。
【図３】本発明の実施の形態の第１のフォームによるラベル印刷の状態を示す正面図である。
【図４】本発明の実施の形態の第２のフォームによるラベル印刷の状態を示す正面図である。
【図５】本発明の実施の形態の第３のフォームによるラベル印刷の状態を示す正面図である。
【図６】本発明の実施の形態のモニタ画面の表示状態の一例を示す正面図である。
【符号の説明】
１  電子内視鏡
２  固体撮像素子
１０  ビデオプロセッサ
１１  画像処理部
１２  制御部
１３  メモリ
１４  入力部
１５  プリンタインタフェイス
２０  テレビモニタ
３０  ラベル印刷用プリンタ
【図１】
0003650478.tif 000002
【図２】
0003650478.tif 000003
【図３】
0003650478.tif 000004
【図４】
0003650478.tif 000005
【図５】
0003650478.tif 000006
【図６】
0003650478.tif 000007